(57)【特許請求の範囲】
【請求項１】
下面を開口し側部に排気口を有した箱状で浴室天井面に取り付けられる本体と、この本体の内部に設けられる遠心力形ファンよりなる循環用ファンと換気用ファンおよび熱交換器と、前記換気用ファンを軸心が垂直方向となるモーターにより駆動されるように設け、外方を囲む形状で下面に吸込口を設けたファンケーシングと、このファンケーシングの内側に前記換気用ファン側に突出し設けられる環状のリブとを備え、前記リブを前記吸込口側外方位置において、前記換気用ファンの下端部外方を囲むように形成し、前記リブと前記ファンケーシング間に結露水を受けて溜める水溜部を形成したことを特徴とする浴室用換気乾燥機。
【請求項２】
水溜部の下面に設けた排水孔と、この排水孔からの水滴を受けるように凹状部を形成した本体の下方開口を覆うように設けたフロントパネルとを設けた請求項１記載の浴室用換気乾燥機。
【発明の詳細な説明】
【０００１】
【発明の属する技術分野】
本発明は、おもに浴室の天井面に取り付けられ、屋外と連通するダクトを通じて浴室内の換気をする浴室用換気乾燥機に関する。
【０００２】
【従来の技術】
近年集合住宅において、衣類乾燥および浴室壁面の防カビを目的として、浴室用換気乾燥機の需要が伸びている。そして、浴室で使用される浴室用換気乾燥機は、一般に天井面に取り付けられ、浴室の湿気を排出しているが、この湿気排出時に発生する結露水が浴室用換気乾燥機本体から落下しないものが要望されている。
【０００３】
従来、この種の浴室用換気乾燥機と同様のダクト用換気扇は、実用新案登録公報第２５００８４４号広報に記載されたものが知られている。
【０００４】
以下、そのダクト用換気扇について図５を参照しながら説明する。
図に示すように、下面に開口部１０１と一側面に排気口１０２を有する箱状の本体１０３の天面に電動機１０４が下向きに固定され、羽根１０５が設けられ羽根１０５の外周部下端には、下方への突起となるリブ１０６が設けられ、本体１０３内の羽根１０５下方に本体１０３内を上下に仕切る仕切板１０７が、吸込口１０８の周囲に立ち上がり部１０９を設け、本体１０３下面の開口部１０１には化粧パネル１１０が設けられていた。
【０００５】
そして、ダクト用換気扇を浴室に設置して運転すると、浴室内の湿気を含んだ空気の通過する羽根１０５および羽根１０５周辺の本体１０３内に結露水が発生し、結露水は仕切板１０７上に溜まっていき、量が多くなると羽根１０５に設けられたリブ１０６によりふり飛ばされて、微細となった水滴が羽根１０５により排気と共に室外へ排出されていた。
【０００６】
【発明が解決しようとする課題】
このような従来のダクト用換気扇では、仕切板１０７上に溜まった結露水を飛散するリブ１０６が回転する羽根１０５に設けられているため、羽根１０５と共に回転するリブ１０６により飛散し本体１０３内面に衝突する水滴音が高く入浴者に不快感を与えるという課題があり、水滴騒音を無くして入浴者に不快感を与えないようにすることが要求されている。
【０００７】
また、ダクト（図示せず）の接続される排気口１０２内にも水滴が飛散し、ダクトの端部より浴室の天井裏に水滴が漏れるという課題があり、水滴が排気口に飛散しないようにすることが要求されている。
【０００８】
本発明は、このような従来の課題を解決するもので結露水を飛散させることなく回収し、浴室内への滴下を防止することのできる浴室用換気乾燥機を提供することを目的としている。
【０００９】
【課題を解決するための手段】
本発明の浴室用換気乾燥機は上記目的を達成するために、下面を開口し側部に排気口を有した箱状で浴室天井面に取り付けられる本体と、この本体の内部に設けられる遠心力形ファンよりなる循環用ファンと換気用ファンおよび熱交換器と、前記換気用ファンを軸心が垂直方向となるモーターにより駆動されるように設け、外方を囲む形状で下面に吸込口を設けたファンケーシングと、このファンケーシングの内側に前記換気用ファン側に突出し設けられる環状のリブとを備え、前記リブを前記吸込口側外方位置において、前記換気用ファンの下端部外方を囲むように形成し、前記リブと前記ファンケーシング間に結露水を受けて溜める水溜部を形成したものである。
【００１０】
本発明によれば、結露水を飛散させることなく回収し滴下を防止することができる浴室用換気乾燥機が得られる。
【００１１】
また、他の手段は、水溜部の下面に設けた排水孔と、この排水孔からの水滴を受けるように凹状部を形成した本体の下方開口を覆うように設けたフロントパネルとを設けたものである。
【００１２】
そして本発明によれば、入浴中の換気運転を長時間行っても結露水の滴下を防止できる浴室用換気乾燥機が得られる。
【００１３】
【発明の実施の形態】
本発明は、下面を開口し、側部に排気口を有した箱状で浴室天井面に取り付けられる本体と、この本体の内部に設けられる遠心力形ファンよりなる循環用ファンと換気用ファンおよび熱交換器と、前記換気用ファンを軸心が垂直方向となるモーターにより駆動されるように設け、外方を囲む形状で下面に吸込口を設けたファンケーシングと、このファンケーシングの内側に前記換気用ファン側に突出し設けられる環状のリブとを備え、前記リブを前記吸込口側外方位置において、前記換気用ファンの下端部外方を囲むように形成し、前記リブと前記ファンケーシング間に水溜部を形成したものであり、浴室内の湿気を含んだ空気が換気用ファンに吸い込まれ、ケーシング内面に発生した結露水は下降し、リブとケーシング間に形成さた水溜部に結露水が溜まり水滴が滴下するのが防止できるという作用を有する。
【００１４】
また、リブ外方のファンケーシング下面に設けた排水孔と、この排水孔からの水滴を受けるように凹状部を形成した本体の下方開口を覆うように設けたフロントパネルとを設けたものであり、ファンケーシングからの滴下水はフロントパネルの皿状部により大量に蓄積されることになり、入浴中の換気運転を長時間行っても浴室内へ水滴が滴下することを防止できるという作用を有する。
以下、本発明の実施例について図面を参照しながら説明する。
【００１５】
【実施例】
（実施例１）
以下、本発明の実施例について添付図面を参照しながら説明する。
【００１６】
図１および図２に示すように、下面に開口部１を形成し、側部に排気口２を有した箱状で浴室の天井面３に取り付けられる本体４の内部に熱交換器５と遠心力形ファンよりなり浴室内の空気を熱交換器５を介して加熱し循環して乾燥する循環用ファン６と、浴室内の湿気を吸い込み排気口２より浴室外に換気する換気用ファン７とを設け、換気用ファン７を軸心が垂直方向となるモーター８により駆動されるように設け、換気用ファン７の外方を囲む形状で下面にオリフィス状の吸込口９を設けたファンケーシング１０を本体４に設け、ファンケーシング１０の内側に換気用ファン７側に突出し設けられる環状のリブ１１を吸込口９側外方位置において換気用ファン７の下端部のエンドリング７ａ外方を囲むように形成し、リブ１１とファンケーシング１０間に結露水を溜める水溜部１２を形成する。
【００１７】
そして、本体４の下面の開口部１を覆う形状で通気口１３を有したフロントパネル１４を本体４にねじ１５により取り付け浴室用換気乾燥機を構成する。
【００１８】
上記構成において、換気用ファン７が運転されると、浴室内の湿った空気がフロントパネル１４の通気口１３を通り吸込口９より換気ファン７内に吸い込まれ換気用ファン７の外周より放散され排気口２より浴室外に排出される。
【００１９】
一方換気用ファン７から放散され、ファンケーシング１０内に結露した結露水は下降してリブ１１とファンケーシング１０間に形成された水溜部１２に溜まって行くこととなり、入浴しているときに、換気運転を行っても入浴者に水滴が落下するのが防止されると共に、結露水を強制的にファンケーシング１０に衝突させないので水滴音による不快感もなくなることとなる。
【００２０】
（実施例２）
図３および図４に示すように、水溜部１２Ａの下面に排水孔１６を設け、この排水孔１６から落下する水滴を受けるようにフロントパネル１４Ａの通気口１３の周辺部分に凹状部１７を形成し構成する。
【００２１】
上記構成において、ファンケーシング１０Ａの内面に結露した結露水は下降して水溜部１２Ａに流れ込み、水溜部１２Ａに設けた排水孔１６より水滴が落下すると、本体４の下面開口部１を覆うように設けたフロントパネル１４Ａの凹状部１７上に落下し、面積の大きいフロントパネル１４Ａの凹状部１７により大量の水滴を貯溜することができ、入浴中の換気運転を長時間行っても浴室内に水滴が滴下するのが防止でき、凹状部１７に溜まった水滴は浴室内の湿度が低下したときに自然蒸発することとなる。
【００２２】
【発明の効果】
以上の実施例から明らかなように本発明によれば、ファンケーシングの内側に換気用ファンの下端部外方を囲む環状リブを設け、リブとファンケーシング間に水溜部を形成したので、結露水を飛散させることなく回収し、浴室内への滴下を防止することのできる浴室用換気乾燥機を提供できる。
【００２３】
また、水溜部に設けた排水孔から落下する水滴をフロントパネルに設けた凹状部で受けるようにしたので、入浴中の換気運転を長時間行っても結露水が浴室内に滴下するのを防止できる効果のある浴室用換気乾燥機を提供できる。
【図面の簡単な説明】
【図１】本発明の実施例１の浴室用換気乾燥機の構成を示す断面図
【図２】同浴室用換気乾燥機のファンケーシング部分の構成を示す分解斜視図
【図３】本発明の実施例２の浴室用換気乾燥機の構成を示す分解斜視図
【図４】同浴室用換気乾燥機のファンケーシング部分の構成を示す断面図
【図５】従来のダクト用換気扇の構成を示す断面図
【符号の説明】
２      排気口
３      浴室天井面
４      本体
５      熱交換器
６      循環用ファン
７      換気用ファン
８      モーター
９      吸込口
１０      ファンケーシング
１１      リブ
１２      水溜部
１２Ａ    水溜部
１４Ａ    フロントパネル
１６      排水孔
１７      凹状部
【図１】
0003775916.tif 000002
【図２】
0003775916.tif 000003
【図３】
0003775916.tif 000004
【図４】
0003775916.tif 000005
【図５】
0003775916.tif 000006